(57)【特許請求の範囲】
【請求項１】
片棟屋根（２）の側端部（３）に取り付けられた破風板（４）に連ねて棟側端部（５）に破風を構成する破風構成体において、
片棟屋根（２）の棟側端部（５）の側面に取り付けられる支持板（１１）と、棟側端部（５）の上面に取り付けられる雨仕舞板（１２）と、棟側端部（５）の側面と下面を被覆する破風本体板（１３）とを有し、
支持板（１１）は、棟側端部（５）の側面に接合する取付面部（１１ａ）の上側に支持面部（１１ｂ）を連設するとともに、この支持面部（１１ｂ）の上方に屋根前方へ突出した連結面部（１１ｄ）と当該連結面部（１１ｄ）の上端から屋根後方へ折れ曲がる鉤状の折れ部（１１ｃ）を設けて形成され、
雨仕舞板（１２）は、棟側端部（５）の上面を被覆する上面被覆部（１２ａ）の下端に片棟屋根（２）の上面に接合する段部（１２ｃ）を連設するとともに、上面被覆部（１２ａ）の上端に支持板（１１）の連結面部（１１ｄ）に接合する取付面部（１２ｂ）、下端に片棟屋根（２）の上面に接合する段部（１２ｃ）を連設し、取付面部（１２ｂ）の上端に前方へ折れ曲がり且つ縁部を下方へ折り返した下折れ部（１２ｄ）を設けて形成され、
破風本体板（１３）は、棟側端部（５）の側面部を被覆する側面被覆部（１３ａ）と棟側端部（５）の下面を被覆する下面被覆部（１３ｂ）とを有し、側面被覆部（１３ａ）の上端には前方へ折れた上面被覆部（１３ｅ）と当該上面被覆部（１３ｅ）の先端から下方へ折れ曲がっていて縁部を内側上方へ折り返した係合片（１３ｆ）を連ねるとともに、下面被覆部（１３ｂ）の下端には上側折れ部（１３ｇ）を介して前方へ延びた接合片（１３ｈ）を設けて形成されており、
屋根上面の造作終了後に棟側端部（５）の側面に支持板（１１）を取り付け、この支持板（１１）の連結面部（１１ｄ）に雨仕舞板（１２）の取付面部（１２ｂ）を接合する一方、片棟屋根（２）の上面に雨仕舞板（１２）の段部（１２ｃ）を接合し、
破風本体板（１３）の上面被覆部（１３ｅ）を支持板（１１）の上端部に被せて係合片（１３ｆ）を雨仕舞板（１２）の下折れ部（１２ｄ）に係合させるとともに、支持板（１１）の支持面部（１１ｂ）に側面被覆部（１３ａ）を接合し、下面被覆部（１３ｂ）で覆った棟側端部（５）の下面に接合片（１３ｈ）を接合して固定することを特徴とする破風構成体。
【発明の詳細な説明】
【０００１】
【発明の属する技術分野】
本発明は屋根の端部に取り付けられて破風を構成する破風構成体に関する。
【０００２】
【従来の技術】
家屋の屋根廻りの造作において、ケラバを装飾するため、屋根の端部に破風板を取り付けることがあるが、片棟屋根では、さらに屋根の棟側端部にも破風板を取り付けて装飾することがある。このような屋根構造では、屋根端部に沿って支持具を固着し、この支持具に破風板を接合し、ビス止めして破風板を固定している。
【０００３】
【発明が解決しようとする課題】
破風板の取り付けは、屋根の側方で破風板を支えながら取り付け位置を合わせ、取り付け位置が決まったところで支持具に破風板を当てがい、その状態を保持したままビスやネジを打ち込んで固定するとう作業手順によって行われ、支持具に固定されるまで破風板を支える必要があることから、一人の作業者で取り付け作業を行うことは困難であり、また、破風板の位置決めや固定作業にも時間を要していた。
【０００４】
本発明は従来技術の有するこのような問題点に鑑み、片棟屋根の棟側端部に破風板を取り付ける場合に、取り付けを一人の作業者でも行えるようにし、また、作業を確実且つ迅速に行えるようにすることを課題とする。
【０００５】
【課題を解決するための手段】
前記課題を解決するため、本発明の破風構成体では、片棟屋根の側端部に取り付けられた破風板に連ねて棟側端部に破風を構成する破風構成体において、片棟屋根の棟側端部の側面に取り付けられる支持板と、棟側端部の上面に取り付けられる雨仕舞板と、棟側端部の側面と下面を被覆する破風本体板とを有し、
支持板は、棟側端部の側面に接合する取付面部の上側に支持面部を連設するとともに、この支持面部の上方に屋根前方へ突出した連結面部と当該連結面部の上端から屋根後方へ折れ曲がる鉤状の折れ部を設けて形成され、
雨仕舞板は、棟側端部の上面を被覆する上面被覆部の下端に片棟屋根の上面に接合する段部を連設するとともに、上面被覆部の上端に支持板の連結面部に接合する取付面部、下端に片棟屋根の上面に接合する段部を連設し、取付面部の上端に前方へ折れ曲がり且つ縁部を下方へ折り返した下折れ部を設けて形成され、
破風本体板は、棟側端部の側面部を被覆する側面被覆部と棟側端部の下面を被覆する下面被覆部とを有し、側面被覆部の上端には前方へ折れた上面被覆部と当該上面被覆部の先端から下方へ折れ曲がっていて縁部を内側上方へ折り返した係合片を連ねるとともに、下面被覆部の下端には上側折れ部を介して前方へ延びた接合片を設けて形成されており、
屋根上面の造作終了後に棟側端部の側面に支持板を取り付け、この支持板の連結面部に雨仕舞板の取付面部を接合する一方、片棟屋根の上面に雨仕舞板の段部を接合し、
破風本体板の上面被覆部を支持板の上端部に被せて係合片を雨仕舞板の下折れ部に係合させるとともに、支持板の支持面部に側面被覆部を接合し、下面被覆部で覆った棟側端部の下面に接合片を接合して固定することを特徴とする。
【０００６】
これによれば、棟側端部に支持部材を取り付け、この支持部材に破風板を被せ、支持部材の係合部位に破風板の先端を係合させれば、破風板は支持部材に支持される。従って、以降の位置決めや固定作業において破風板を手で支える必要はなく、取り付け作業を迅速に行える。また、雨仕舞板を支持部材に被せ、破風本体板の被覆面の先端部を雨仕舞板に係合すれば、両板が支持部材で支持され、一体となって破風板を構成する。破風本体板は、その端部を雨仕舞板に係合して支持されるので、これを下側から支えなくても係合位置に係止し、位置決めや固定作業を迅速且つ簡易に行える。また、屋根に仮止め状態で係止されるので、取り付け位置の微調節も可能となる。
【０００７】
【発明の実施の形態】
図面を参照して本発明の好適な一実施形態を説明する。
図１は本発明の破風構成体が施工された片棟屋根の外観を示した図、図２は片棟屋根の棟側端部の断面図、図３〜図５はそれぞれ破風構成体の構成部材の外観図である。
【０００８】
図１に示されるように、本形態の破風構成体１は、片棟屋根２の側端部３に取り付けられた破風板４と連なって、棟側端部５に破風を構成するものである。
【０００９】
破風構成体１は、図２に示されるように、支持部材としての支持板１１と、破風板を構成する雨仕舞板１２及び破風本体板１３から構成される。各部材は例えば表面を塩化ビニル樹脂膜で被覆した鋼板などの金属板を用いて形成される。
【００１０】
支持板１１は、帯状の鋼板をその短手方向に沿って折り曲げて形成されている。
詳しくは、図３に示されるように、棟側端部５の側面に接合する取付面部１１ａを有し、その上下両側に傾斜面部を介して後方に張り出していて取付面部１１ａと平行に延びた支持面部１１ｂ、１１ｂをそれぞれ配し、上側の支持面部１１ｂの上方に、鉤状に折れ曲がった折れ部１１ｃを連設してある。より詳しくは、折れ部１１ｃは、上側支持面部１１ｂの上端を適宜な幅で前方に折り曲げるとともにその端部に取付面部１１ａと平行に上方に立ち上がった連結面部１１ｄを連ね、さらに連結面部１１ｄの上端に後方に折り曲がって延びていて縁部を下方に折り曲げた上面部１１ｅを連ねた形状に設けてある。この鉤状の折れ部１１ｃは、周面に雨仕舞板１２と破風本体板１３が接合し、両板を支持する部位である。
【００１１】
雨仕舞板１２は、長尺鋼板をその長手方向に沿って折り曲げてなり、棟側端部５の上面を被覆する面を有した曲面形状に形成されている。
詳しくは、図４に示されるように、棟側端部５の上面を適宜な幅に渡って被覆する上面被覆部１２ａを有し、その上端に支持板１１の連結面部１１ｄに接合する取付面部１２ｂを当該面から鈍角に折り曲げて連設し、その下端には下方に折り返した段部１２ｃを連設してある。取付面部１２ｂの上端には前方に直角に折れ曲がり、且つ縁部を下方に折り返した下折れ部１２ｄを連ねてある。
【００１２】
破風本体板１３は、雨仕舞板１２と同様に長尺鋼板をその長手方向に沿って折り曲げてなり、棟側端部５の側面と下面を被覆する面を有した曲面形状に形成されている。
詳しくは、図５に示されるように、棟側端部５の側面を被覆する側面被覆部１３ａを有し、その下端に棟側端部５の下面を適宜な幅に渡って被覆する下面被覆部１３ｂを当該面から鈍角に折り曲げて連設してある。
側面被覆部１３ａは、支持板１１の支持面部１１ｂに接合する下半部１３ｃと、傾斜面部を介して後方に張り出していて下半部１３ｃと平行に上方に延びた上半部１３ｄからなっており、上半部１３ｄの上端には、下面被覆部１３ｂと平行に前方に折れた上面被覆部１３ｅを連ねてある。上面被覆部１３ｅは、支持板１１の上面を被覆する部位であり、その先端には下方に折れ曲がっていて縁部を内側上方に折り返した係合片１３ｆが形成してある。
また、下面被覆部１３ｂの端部には、上側折れ部１３ｇを介して前方に折れ曲がっていて、上面被覆部１３ｅと平行に延びた接合片１３ｈが連ねてある。
破風本体板１３は、棟側端部５に取り付けた状態で、上面被覆部１３ｅが支持板１１の上面を覆い、且つ側面被覆部１３ａが支持板１１の支持面部１１ｂと上面部１１ｅの下折れ片とに接合して支持板１１に支持され、また、下面被覆部１３ｂ端部の接合片１３ｈが棟側端部５の下面に接合するように設けてある。
【００１３】
なお、雨仕舞板１２と破風本体板１３は、一体となって棟側端部５の周りを覆う長さに形成され、また、雨仕舞板１２の上面被覆部１２ａ、破風本体板１３の下面被覆部１３ｂと上面被覆部１３ｅは、棟側端部５に取り付けた状態で、片棟屋根２の勾配と同角度で傾斜するように形成されている。
【００１４】
これらの部材により構成される本形態の破風構成体１は以下の手順で施工される。
屋根上面の造作終了後に、先ず支持板１１を棟側端部５に取り付ける。
支持板１１の取り付けは、棟側端部５の側面に支持板１１の取付面部１１ａを接合し、ここに釘６を打ち込んで行う。棟側端部５の側面には、雨仕舞板１２と破風本体板１３を支持し得る数の支持板１１が、互いに適当な間隔を開けて固定される。
【００１５】
次に、雨仕舞板１２を軒側端部５に取り付ける。
雨仕舞板１２の取り付けは、図２に示されるように、屋根の棟側縁部に雨水が進入するのを防ぐために取り付けられた笠木７の前面に段部１２ｃを接合し、支持板１１の連結面部１１ｄには取付面部１２ｂを接合し、取り付け位置を調整した状態で前記段部１２ｃを笠木７に釘６で固着し、前記取付面部１２ｂを支持板１１にビス８で固着して行う。
【００１６】
支持板１１と雨仕舞板１２を取り付けたならば、破風本体板１３を軒側端部５に取り付ける。
破風本体板１３の取り付けは、先ず、上面被覆部１３ｅを軒側を向けて破風本体板１３を支え、これを片棟屋根２の後方から持ち上げて軒側端部５に被せる。すると、破風本体板１３は、上面被覆部１３ｅが支持板１１の上面を覆い、その先端の係合片１３ｆが，支持板１１に一体に固定された雨仕舞板１２の下折れ部１２ｄに係合し、また、その側面被覆部１３ａが支持板１１の支持面部１１ｂと上面部１１ｅの下折れ片とにそれぞれ接合し、下面被覆部１３ｂ端部の接合片１３ｈは棟側端部５の下面に接合して、当該装着位置に係止する。そして、取り付け位置を調整した後、前記支持面部１１ｂと接合した側面被覆部１３ａにビス８を打ち込んで側面被覆部１３ａを支持板１１に固着し、棟側端部５の下面に接合した接合片１３ｈに釘６を打ち込んで下面被覆部１３ｂを棟側端部５の下面に固着して、破風本体板１３の取り付けが完了する。
【００１７】
このように構成された本形態の破風構成体１によれば、雨仕舞板１２と破風本体板１３とが一体化し、片棟屋根２の棟側端部周りを覆った破風板を構成して棟側端部５を装飾する。
破風本体板１３は、その端部を、支持板１１と一体に屋根上面に配された雨仕舞板１２に係合して取り付けられるように形成されているので、破風本体板１３を雨仕舞板１２に係合させて破風本体板１３を棟側端部５に仮止め状態に係止させておくことができ、その後の位置決めや固定作業を迅速且つ簡易に行うことができる。
【００１８】
なお、図示した形態では、雨仕舞板１２と破風本体板１３により破風板を構成してあるが、破風板の構成はこれに限定されず、一体としたり、これらと別の部材を組み合わたりしてもよく、その形状も適宜な形状に設けることができる。雨仕舞板１２と支持板１１が一体化した支持部材を構成し、これに破風本体板１３を係合し、支持されるように構成してもよい。支持部材の形状は破風板、或いは雨仕舞板や破風本体板を係止可能な適宜な形状に設けることができる。
【００１９】
【発明の効果】
本発明によれば、片棟屋根の棟側端部に固定された支持部材に破風板の端部を係合し、支持されるように構成してあるから、破風板の位置決めや固定作業において、破風板を手で支える必要はなく、破風板の取り付けを一人の作業者でも確実且つ迅速に行うことが可能となる。
【図面の簡単な説明】
【図１】本発明の一実施形態によって破風を構成した片棟屋根の棟側の外観を示した図である。
【図２】図１の屋根の棟側端部の断面図である。
【図３】支持板の外観図である。
【図４】雨仕舞板の外観図でである。
【図５】破風本体板の外観図である。
【符号の説明】
１    破風構成体
１１    支持板
１２    雨仕舞板
１３    破風本体板
２    片棟屋根
３    側端部
４    破風板
５    棟側端部
６    釘
７    笠木
８    ビス
【図１】
0003875844.tif 000002
【図２】
0003875844.tif 000003
【図３】
0003875844.tif 000004
【図４】
0003875844.tif 000005
【図５】
0003875844.tif 000006